(57)【要約】      （修正有）【課題】不審者の室内進入を未然に防止することが可能な防犯カメラ装置を提供する。【解決手段】防犯カメラ装置は、玄関扉１の室内側に取付けられる本体１０と、玄関扉１の屋外側に取り付けられて玄関前の様子を撮影するカメラ２０と、玄関扉１の屋外側に取り付けられて玄関前に警報を発する警報出力部３０と、玄関扉１の振動を検出する振動センサ１４、４０と、を有し、振動センサ１４、４０で玄関扉１の振動が検知されたときには、カメラ２０の撮影画像を本体１０で記録するとともに、警報出力部３０を用いて玄関前に警報を発する構成とされている。【選択図】図１
2011118650.tif 000002
【特許請求の範囲】
【請求項１】
玄関扉の室内側に取り付けられる本体と；
前記玄関扉の屋外側に取り付けられて玄関前の様子を撮影するカメラと；
前記玄関扉の屋外側に取り付けられて前記玄関前に警報を発する警報出力部と；
前記玄関扉の振動を検出する振動センサと；
を有し、
前記振動センサで前記玄関扉の振動が検知されたときには、前記カメラの撮影画像を前記本体で記録するとともに、前記警報出力部を用いて前記玄関前に警報を発することを特徴とする防犯カメラ装置。
【請求項２】
前記振動センサとして、前記本体に内蔵されるタイプと、前記本体に外部接続されるタイプの少なくとも一方を有することを特徴とする請求項１に記載の防犯カメラ装置。
【請求項３】
前記警報出力部は、スピーカ、ブザー、警告灯、及び、フラッシュの少なくとも一を有することを特徴とする請求項１または請求項２に記載の防犯カメラ装置。
【発明の詳細な説明】
【技術分野】
【０００１】
本発明は、玄関前の様子を撮影する防犯カメラ装置に関するものである。
【背景技術】
【０００２】
特許文献１には、ドアスコープ（覗き穴）を備えた玄関扉に取り付けられ、人感センサによって玄関扉に人が接近したことを検出したときに、玄関前の様子を録画する防犯用画像記録装置が開示されている。
【０００３】
また、近年では、その他の防犯装置として、玄関扉の開閉を検知して警報音を発する警報装置や人感センサを備えた室内監視カメラなども種々実用化されている。
【先行技術文献】
【特許文献】
【０００４】
【特許文献１】特開２００８−３３５２３号公報
【発明の概要】
【発明が解決しようとする課題】
【０００５】
確かに、上記従来の防犯用画像記録装置であれば、玄関前に存在する人間の姿を録画しておくことができるので、例えば、留守時に知人の訪問があった場合には、その事実を帰宅後に確認することが可能であり、また、ストーカーや空き巣の被害に遭った場合には、後日、犯人捜索時の有力な手掛かりを警察に提供することが可能である。
【０００６】
しかしながら、上記従来の防犯用画像記録装置では、玄関前に人間が存在することを検出することはできても、その人間が不審者であるか否かを知る由はないため、一概に警報や威嚇を行うことができず、例えば、その人間が室内進入を試みる不審者であった場合には、その室内進入に対する抑止力に乏しいという問題があった。特に、室内進入に成功した不審者が防犯用画像記録装置で自分の姿が録画されていたことに気付いて、防犯用画像記録装置を破壊したり持ち去ったりした場合には、犯人捜索時の有力な手掛かりを失う結果となっていた。
【０００７】
なお、玄関扉の開閉を検知して警報音を発する従来の警報装置では、玄関扉が不審者によって開けられた後、つまり、不審者の室内進入を許してしまった後で初めて警報音が発せられるため、不審者の後手に回った対策となっていた。また、不審者が室内に進入後、直ちに警報装置を破壊したり、ブレーカーを落とすなどして警報装置の主電源を遮断した場合には、警報音がごく短時間しか発せられないため、周囲の人間が警報音に気付かなかったり、或いは、警報音に気付いた人間に警報装置の誤動作とみなされるおそれもあり、必ずしも十分な防犯効果を奏することができなかった。
【０００８】
また、人感センサを備えた従来の室内監視カメラでは、不審者の室内進入を許してしまった後で初めてその姿が録画されるため、やはり、不審者の後手に回った対策となっており、室内に侵入した不審者による破壊や持ち去りのおそれもあるため、必ずしも十分な防犯効果を奏することができなかった。なお、上記の人感センサとしては、赤外線センサを用いる構成のほか、室内監視カメラの撮像画像を解析して人間の動き検出を行う構成も考えられるが、いずれも比較的誤動作が多いという問題があった。
【０００９】
本発明は、上記の問題点に鑑み、不審者の室内進入を未然に防止することが可能な防犯カメラ装置を提供することを目的とする。
【課題を解決するための手段】
【００１０】
上記の目的を達成するために、本発明に係る防犯カメラ装置は、玄関扉の室内側に取り付けられる本体と；前記玄関扉の屋外側に取り付けられて玄関前の様子を撮影するカメラと；前記玄関扉の屋外側に取り付けられて前記玄関前に警報を発する警報出力部と；前記玄関扉の振動を検出する振動センサと；を有し、前記振動センサで前記玄関扉の振動が検知されたときには、前記カメラの撮影画像を前記本体で記録するとともに、前記警報出力部を用いて前記玄関前に警報を発する構成（第１の構成）とされている。
【００１１】
なお、上記第１の構成から成る防犯カメラ装置は、前記振動センサとして、前記本体に内蔵されるタイプと前記本体に外部接続されるタイプの少なくとも一方を有する構成（第２の構成）にするとよい。
【００１２】
また、上記第１又は第２の構成から成る防犯カメラ装置において、前記警報出力部は、スピーカ、ブザー、警告灯、および、フラッシュの少なくとも一を有する構成（第３の構成）にするとよい。
【発明の効果】
【００１３】
本発明に係る防犯カメラ装置であれば、不審者の室内進入を未然に防止することができるので、十分な防犯効果を奏することが可能となる。
【図面の簡単な説明】
【００１４】
【図１】本発明に係る防犯カメラ装置の一設置例を示す模式図
【図２】図１のＸ−Ｘ’断面図
【図３】本体１０の一構成例を示すブロック図
【図４】警報出力部３０の一構成例を示す模式図
【発明を実施するための形態】
【００１５】
図１は、本発明に係る防犯カメラ装置の一設置例を示す模式図であり、図２は、図１のＸ−Ｘ’断面図である。なお、図１の紙面左半分には屋外側から見た玄関扉１が示されており、紙面右半分には室内側から見た玄関扉１が示されている。
【００１６】
玄関扉１の屋外側には、外側ノブ２、キー差込口３、郵便投入口４が設けられている。外側ノブ２は、屋外から室内へ入るときに玄関扉１を開閉するための取っ手である。キー差込口３は、キーを用いて玄関扉１を屋外側から施錠ないし解錠するための外錠である。郵便投入口４は、屋外側から郵便を投入するための開口部である。
【００１７】
玄関扉１の室内側には、内側ノブ５、サムターン６、郵便受け７が設けられている。内側ノブ５は、室内から屋外へ出るときに玄関扉１を開閉するための取っ手である。サムターン６は、玄関扉１を室内側から施錠ないし解錠するための内錠である。郵便受け７は、郵便投入口４から投入された郵便を受ける箱状の部材である。
【００１８】
また、玄関扉１に取り付けられて、玄関前の様子を撮影する防犯カメラ装置は、本体１０と、カメラ２０と、警報出力部３０と、振動センサ４０と、を有する。
【００１９】
本体１０は、両面テープ、接着剤、ネジ、磁石、吸盤などを用いて、玄関扉１の室内側に取り付けられる。なお、本体１０の内部構成及び動作については後ほど詳述する。
【００２０】
カメラ２０は、玄関扉１の屋外側に取り付けられて玄関前の様子を動画撮影し、被写体の光学像を電気的な撮像データとして本体１０に出力する手段である。なお、カメラ２０は、レンズ群や光電変換素子（ＣＭＯＳ［Complementary Metal Oxide Semiconductor］やＣＣＤ［Charge Coupled Devices］などのイメージセンサ）を備えており、図１及び図２の設置例では、玄関扉１に設けられたドアスコープ（覗き穴）を介して本体１０と有線接続されている。ただし、カメラ２０の設置位置については、これに限定されるものではなく、玄関前の様子を適切に撮影することが可能な位置であれば、いかなる位置に取り付けても構わない。また、カメラ２０の画角（視野角）は、できる限り広い方が望ましい。
【００２１】
警報出力部３０は、玄関扉１の屋外側に取り付けられ、本体１０からの制御信号に応じて、玄関前の不審者に対する威嚇や玄関付近の人間（隣人や警備員など）に対する異常報知を目的とした警報を出力する手段であり、スピーカ、ブザー、警告灯、及び、フラッシュの少なくとも一を備えている。すなわち、上記の警報としては、スピーカやブザーから大音量の警報音や威嚇メッセージ（犯行を録画して警察に通報した旨のメッセージなど）を出力したり、警告灯やフラッシュを発光したりすればよい。なお、警報出力部３０の取付け構造については、後ほど具体例を挙げて詳述する。
【００２２】
振動センサ４０は、本体１０に外部接続されて玄関扉１の振動を検出する手段であり、例えば、互いに直交する３軸方向（高さ方向、幅方向、奥行き方向）の加速度を各々検出する加速度センサなどを好適に用いることができる。なお、振動センサ４０は、複数設けると効果的であり、図１及び図２の設置例では、内側ノブ５やサムターン６の近傍と郵便受け７の近傍に各々１つずつ振動センサ４０が設けられている。また、本発明に係る防犯カメラ装置では、玄関扉１に密着される本体１０にも振動センサ１４が内蔵されている。
【００２３】
図３は、本体１０の一構成例を示すブロック図である。本構成例の本体１０は、制御部１１と、画像処理部１２と、駆動部１３と、振動センサ１４と、振動判定部１５と、操作部１６と、表示部１７と、記録部１８と、を有する。なお、本体１０には、装置外部から定常的に電力供給を行うことが望ましいが、装置外部からの電力供給ラインを確保することが難しい場合には、本体１０を電池駆動としてもよい。その場合、電池としては、アルカリ乾電池などの一次電池を用いてもよいし、或いは、リチウムイオン電池などの二次電池を用いてもよい。
【００２４】
制御部１１は、本体１０を構成する各部１２〜１８を統括的に制御する手段であり、ＣＰＵ［Central Processing Unit］やＤＳＰ［Digital Signal Processor］などの演算手段のほかに、ＲＯＭ［Read Only Memory］やＲＡＭ［Random Access Memory］などの記憶手段（いずれも不図示）を有する。なお、上記のＲＯＭは、ＣＰＵによって実行されるプログラムなどの格納領域として使用される。また、上記のＲＡＭは、ＣＰＵの作業領域として使用されるほか、カメラ２０で得られた撮像データを所定時間分（数秒〜数分）だけ一時的に格納しておくバッファ領域としても使用される。なお、撮像データのバッファに際して、上記のＲＡＭは、その容量に空きがある限り、新しい撮像データを順次保存していき、その容量が足りなくなったときには、最も古い撮像データから順次削除していくことにより、常に最新の撮像データを所定時間分だけ一時的に格納する構成とされている。ただし、上記のＲＯＭやＲＡＭは、制御部１１に内蔵することなく、別途独立して設けても構わない。
【００２５】
画像処理部１２は、カメラ２０で得られた撮像データに対して、自動ゲイン制御、相関二重サンプリング、アナログ／ディジタル変換などの各種信号処理を施し、処理済みの撮像データを制御部１１に出力する。
【００２６】
駆動部１３は、制御部１１からの指示に基づいて、警報出力部３０の駆動制御（警報出力の可否制御）を行う。
【００２７】
振動センサ１４は、本体１０に内蔵されて玄関扉１の振動を検出する手段であり、外部接続型の振動センサ４０と同様、例えば、互いに直交する３軸方向（高さ方向、幅方向、奥行き方向）の加速度を各々検出する加速度センサなどを好適に用いることができる。
【００２８】
振動判定部１５は、本体１０に内蔵される振動センサ１４と、本体１０に外部接続される振動センサ４０の少なくとも一で玄関扉１の振動を検知したか否かの判定を行い、その判定結果を制御部１１に出力する構成とされている。このような構成とすることにより、玄関扉１の全体が振動している場合はもちろん、玄関扉１の一部分のみが振動している場合でも、これを異常と判定することができるので、セキュリティ能力を高めることができる。一方、振動判定部１５は、複数の振動センサで同時に振動が検知された場合や、少なくとも一の振動センサで所定期間に亘って継続的に振動が検知された場合にのみ、玄関扉１が振動していると判定する構成としてもよい。このような構成とすることにより、振動の誤検知を低減して、不要な録画動作や警報出力動作を控えることが可能となる。
【００２９】
操作部１６は、各種のボタンやキーを備えており、ユーザ操作を受け付けて制御部１１に伝達する。
【００３０】
表示部１７は、液晶表示パネルを備えており、カメラ２０で得られた玄関前の様子や、防犯カメラ装置の設定内容などを表示する。
【００３１】
記録部１８は、カメラ２０で得られた撮像データを不揮発的に記憶する手段であり、ＥＥＰＲＯＭ［Electrically Erasable and Programmable Read Only Memory］やフラッシュメモリなどの半導体メモリ、或いは、ハードディスクドライブなどの大容量記憶デバイスを好適に用いることができる。このように、記憶部１８を用いて撮像データを不揮発的に保存する構成であれば、本体１０への電力供給が遮断された場合でも、撮像データを滅失することがなくなる。なお、記録部１８は、本体１０の内部に据え付けられる構成としてもよいし、本体１０に着脱可能な構成としてもよい。
【００３２】
次に、上記構成から成る防犯カメラ装置の動作について詳細に説明する。
【００３３】
上記構成から成る防犯カメラ装置において、制御部１１は、操作部１６で所定のカメラ撮影操作が受け付けられたときに、カメラ２０で玄関前の様子を撮影し、その撮影画像を表示部１７でリアルタイム表示するように、カメラ２０や表示部１７を制御する。
【００３４】
このような構成とすることにより、在宅中のユーザは、来訪者に対する応答に際して、玄関前の様子を確認してから玄関扉１を開けることができるので、押し売りなどの室内進入を未然に防止することが可能となる。
【００３５】
また、上記構成から成る防犯カメラ装置において、制御部１１は、振動判定部１５で玄関扉１が振動していると判定されたときに、カメラ２０で玄関前の様子を撮影し、その撮像データを記録部１８で不揮発的に記録するとともに、警報出力部３０を用いて玄関前に警報を発するように、駆動部１３や記録部１８を制御する構成とされている。
【００３６】
このような構成とすることにより、例えば、玄関扉１が強く揺らされたり叩かれたりした場合や、キー挿入口３ないし郵便投入口４の破壊工作が行われた場合、或いは、サムターン６の不正操作（いわゆるサムターン回し）が試みられた場合には、上記不審な行動に伴う玄関扉１の振動を検知して警報を発することができるので、玄関前の不審者に少なからず動揺を与えてその室内進入を躊躇させるとともに、玄関付近の人間（隣人や警備員など）に異常を知らせることが可能となり、延いては、不審者の室内進入を未然に防止することが可能となる。また、カメラ２０で得られた撮像データを記録部１８で不揮発的に記録しておけば、後日、犯人捜索時の有力な手掛かりを警察に提供することが可能となる。一方、玄関前に存在する人間が不審者でなければ、玄関扉１に振動が生じることはないので、カメラ２０や警報出力部３０が不必要に動作することはない。
【００３７】
なお、撮像データの記録モードとしては、玄関扉１の振動が検出されるまでカメラ２０の撮影動作を停止状態としておき、玄関扉１の振動検出後に得られた撮像データのみを記録部１８に格納する第１の記録モードと、カメラ２０で玄関前の様子を常時撮影すると共に、制御部１０に内蔵されるバッファ（ＲＡＭ）を用いてカメラ２０の撮像データを順次バッファしておき、玄関扉１の振動が検出された時点を基準として、その前後に得られた所定時間分の撮像データを記録部１８に不揮発的に格納する第２の記録モードを選択することが可能である。
【００３８】
上記第１の記録モードを選択した場合には、定常時におけるカメラ２０の消費電力を低減することができるので、本体１０を電池駆動している場合には、その動作時間を延ばすことが可能となる。
【００３９】
一方、上記第２の記録モードを選択した場合には、玄関扉１の振動検出後に得られた撮像データだけでなく、玄関扉１の振動検出前から得られていた撮像データも記録部１８に不揮発的に記録することができるので、例えば、玄関扉１の振動が検出された時点で不審者が玄関扉１に近付き過ぎており、カメラ２０の画角（視野角）内に存在しない場合や、或いは、不審者が室内進入を試みた直後に素早くその場を離れた場合であっても、玄関扉１に近付いてくる不審者の顔や姿を確実に捉えることが可能となる。
【００４０】
このように、本発明に係る防犯カメラ装置であれば、上記第１、第２の記録モードを任意に切り替えることができるので、ユーザの意図する最適な防犯動作を実現することが可能となる。
【００４１】
また、上記構成から成る防犯カメラ装置において、制御部１１は、操作部１６で所定の再生操作が受け付けられたときに、記録部１８に格納されている撮像データを表示部１７で再生表示するように、表示部１７や記録部１８を制御する。
【００４２】
このような構成とすることにより、ユーザは、記録部１８に格納されている撮像データを確認するための再生装置を別途用意せずに済む。
【００４３】
次に、警報出力部３０の取付け構造について、図４を参照しながら詳細に説明する。図４は、警報出力部３０の一構成例を示す模式図である。本構成例の警報出力部３０は、出力体３１と、支持部材３２と、配線３３と、可動部材３４と、弾性部材３５とを有する。
【００４４】
出力体３１は、警報を出力するデバイス本体であり、スピーカ、ブザー、ランプ、フラッシュなどを用いることができる。
【００４５】
支持部材３２は、出力体３１を玄関扉１の屋外側に取り付けるためのアタッチメントであり、玄関扉１の上端部分に懸架可能な形状（３面を有するコの字形状）とされている。支持部材３２の第１面は、玄関扉１の屋外側に露出される部分であり、出力体３１が取り付けられている。支持部材３２の第２面は、支持部材３２の第１面と第３面を連結する部分であり、玄関扉１の上端部分と壁８（図２を参照）との間に存在する僅かな隙間よりも薄く加工されている。支持部材３２の第３面は、玄関扉１の室内側に露出される部分であり、弾性部材３５を介して可動部材３４が取り付けられている。
【００４６】
配線３３は、玄関扉１の上端部分と壁８（図２を参照）との間に存在する僅かな隙間を介して、本体１０と出力体３１とを電気的に接続するための導電ラインである。
【００４７】
可動部材３４は、自身と支持部材３２（第２面）との間で玄関扉１を挟持するための部材であり、弾性部材３５によって玄関扉１側に付勢されている。このような可動部材３４を有する構成であれば、厚みの異なる玄関扉１にも柔軟に対応することが可能となる。
【００４８】
弾性部材３５は、支持部材３２の第３面と可動部材３４との間に設けられて、可動部材３４を玄関扉１側に付勢する部材である。なお、弾性部材３５としては、図４に示したように、バネなどを用いればよい。
【００４９】
なお、本発明の構成は、上記実施形態のほか、発明の主旨を逸脱しない範囲で種々の変更を加えることが可能である。すなわち、上記実施形態は、全ての点で例示であって、制限的なものではないと考えられるべきであり、本発明の技術的範囲は、上記実施形態の説明ではなく、特許請求の範囲によって示されるものであり、特許請求の範囲と均等の意味及び範囲内に属する全ての変更が含まれると理解されるべきである。
【００５０】
例えば、上記実施形態では、カメラ２０を用いて玄関前の様子を動画撮影する構成を例に挙げて説明を行ったが、本発明の構成はこれに限定されるものではなく、例えば、所定のインターバルで間欠的に静止画撮影を行う構成としてもよいし、或いは、１枚だけ静止画撮影を行う構成としてもよい。このような構成とすることにより、撮像データの画質を低下させることなく、撮像データの容量を縮小することができるので、制御部１１に搭載されるバッファや記憶部１８における撮像データの保存期間を延ばすことが可能となる。
【産業上の利用可能性】
【００５１】
本発明は、防犯カメラ装置のセキュリティ性能を高める上で有用な技術であり、例えば玄関扉のピッキング対策として非常に有効である。
【符号の説明】
【００５２】
１    玄関扉
２    外側ノブ
３    キー差込口
４    郵便投入口
５    内側ノブ
６    サムターン
７    郵便受け
８    壁
１０    本体
１１    制御部
１２    画像処理部
１３    駆動部
１４    振動センサ（内蔵型）
１５    振動判定部
１６    操作部
１７    表示部
１８    記録部
２０    カメラ
３０    警報出力部
３１    出力体（スピーカ、ブザー、ランプ、フラッシュなど）
３２    支持部材
３３    配線
３４    可動部材
３５    弾性部材
４０    振動センサ（外付型）
【図１】
2011118650.tif 000003
【図２】
2011118650.tif 000004
【図３】
2011118650.tif 000005
【図４】
2011118650.tif 000006